(57)【要約】【課題】ダイバーシティ切替合成を用いて信号を受信する受信器モジュールにおいて、各ガードインターバルにおける切り替えを不要とし、電力消費を削減する。【解決手段】ダイバーシティ切替合成を用いて信号を受信する受信器モジュールおよび方法であって、受信器モジュールは、アンテナを介して受信された入力信号を変換し復調するとともに、複数のキャリヤ周波数において、チャネル振幅またはチャネル位相の少なくとも一方を推定する受信器回路と、推定されたチャネル振幅またはチャネル位相の少なくとも一方に基づいて、複数のキャリヤ周波数における信号品質を推定し、時間周期にわたって推定された信号品質に基づいて、基準品質レベルを決定する品質推定ユニットと、複数のキャリヤ周波数のうち、基準品質レベルよりも低い推定品質を有する低品質キャリヤ周波数の数を決定する品質評価ユニットとを有する。【選択図】図２
2008148312.tif 000002
【特許請求の範囲】
【請求項１】
アンテナを介して受信された入力信号を変換し復調するとともに、複数のキャリヤ周波数において、チャネル振幅またはチャネル位相の少なくとも一方を推定する受信器回路と、
推定されたチャネル振幅またはチャネル位相の少なくとも一方に基づいて、複数のキャリヤ周波数における信号品質を推定し、時間周期にわたって推定された信号品質に基づいて、基準品質レベルを決定する品質推定ユニットと、
複数のキャリヤ周波数のうち、基準品質レベルよりも低い推定品質を有する低品質キャリヤ周波数の数を決定する品質評価ユニットと、を有する受信器モジュール。
【請求項２】
さらに、
第１アンテナおよび第２アンテナと、
前記第１アンテナおよび前記第２アンテナの一方を前記受信器回路に選択的に接続する切替ユニットと、
前記切替ユニット用の制御ユニットと、を有し、
前記品質推定ユニットは、前記第１アンテナに関して複数のキャリヤ周波数における信号品質を推定して格納し、
前記品質評価ユニットは、基準品質レベルに基づいて、前記第１アンテナに関する低品質キャリヤ周波数の数を決定し、
前記制御ユニットは、前記第１アンテナに関して決定された低品質キャリヤ周波数の数に基づいて、前記切替ユニットの設定を制御する、請求項１に記載の受信器モジュール。
【請求項３】
前記制御ユニットは、前記第１アンテナに関して決定された低品質キャリヤ周波数の数が所定数を超える場合、前記切替ユニットの設定を変更する、請求項２に記載の受信器モジュール。
【請求項４】
前記第１アンテナに関して決定された低品質キャリヤ周波数の数に基づいて、前記第２アンテナを前記受信器回路に接続するように、前記制御ユニットが前記切替ユニットを制御する場合、前記品質推定ユニットは、前記第２アンテナに関して複数のキャリヤ周波数における信号品質を推定し、
前記品質評価ユニットは、前記第１アンテナの格納された推定信号品質と前記第２アンテナの推定信号品質との比較に基づき、前記第１アンテナがより高い信号品質を有するかどうかを決定し、
前記制御ユニットは、前記品質評価ユニットによる前記決定に基づいて、前記切替ユニットの設定を制御する、請求項２または３に記載の受信器モジュール。
【請求項５】
前記制御ユニットは、前記第１アンテナがより高い信号品質を有する場合、前記第１アンテナを前記受信器回路に接続するように前記切替ユニットを制御する、請求項４に記載の受信器モジュール。
【請求項６】
さらに、
第１アンテナおよび第２アンテナと、
前記第１アンテナおよび前記第２アンテナの一方を前記受信器回路に選択的に接続する切替ユニットと、
前記切替ユニット用の制御ユニットと、を有し、
前記品質推定ユニットは、前記第１アンテナに関して複数のキャリヤ周波数における信号品質を推定し、
前記品質評価ユニットは、基準品質レベルに基づいて、前記第１アンテナに関する低品質キャリヤ周波数の数を決定して格納し、
前記制御ユニットは、前記第１アンテナに関して決定された低品質キャリヤ周波数の数に基づいて、前記切替ユニットの設定を制御する、請求項１に記載の受信器モジュール。
【請求項７】
前記制御ユニットは、前記第１アンテナに関して決定された低品質キャリヤ周波数の数が所定数を超える場合、前記切替ユニットの設定を変更する、請求項６に記載の受信器モジュール。
【請求項８】
前記品質推定ユニットは、前記第１アンテナに関して決定された低品質キャリヤ周波数の数に基づいて、前記第２アンテナを前記受信器回路に接続するように、前記制御ユニットが前記切替ユニットを制御する場合、前記第２アンテナに関して複数のキャリヤ周波数における信号品質を推定し、
前記品質評価ユニットは、前記基準品質レベルに基づいて、前記第１アンテナに関する格納された低品質キャリヤ周波数の数が、前記第２アンテナに関する低品質キャリヤ周波数の数よりも少ないかどうかを決定し、
前記制御ユニットは、前記品質評価ユニットによる前記決定に基づいて、前記切替ユニットの設定を制御する、請求項６または７に記載の受信器モジュール。
【請求項９】
前記制御ユニットは、前記第１アンテナに関する低品質キャリヤ周波数の数が前記第２アンテナに関する低品質キャリヤ周波数の数よりも少ない場合、前記第１アンテナを前記受信器回路に接続するように前記切替ユニットを制御する、請求項８に記載の受信器モジュール。
【請求項１０】
前記切替ユニットの設定における前記制御は、入力信号のガードインターバルの期間に実行される、請求項２から９のいずれかに記載の受信器モジュール。
【請求項１１】
前記複数のキャリヤ周波数は、既知の値を有するパイロットキャリヤ周波数の信号を含む、請求項１から１０のいずれかに記載の受信器モジュール。
【請求項１２】
チャネル振幅またはチャネル位相の少なくとも一方の前記推定は、各パイロットキャリヤ周波数において実行される、請求項１１に記載の受信器モジュール。
【請求項１３】
チャネル振幅またはチャネル位相の少なくとも一方の前記推定は、各キャリヤ周波数において実行される、請求項１から１２のいずれかに記載の受信器モジュール。
【請求項１４】
信号品質の前記推定は、各パイロットキャリヤ周波数における前記推定されたチャネル振幅またはチャネル位相の少なくとも一方に基づく、請求項１１から１３のいずれかに記載の受信器モジュール。
【請求項１５】
信号品質の前記推定は、各キャリヤ周波数における前記推定されたチャネル振幅またはチャネル位相の少なくとも一方に基づく、請求項１から１４のいずれかに記載の受信器モジュール。
【請求項１６】
信号品質の前記推定は、パイロットキャリヤ周波数の測定値と信号コンスタレーションにおける既知の補正位置との間の距離に基づく、請求項１から１５のいずれかに記載の受信器モジュール。
【請求項１７】
前記基準品質レベルは、時間周期の期間において複数のパイロットキャリヤ周波数における推定信号品質の平均に設定される、請求項１から１６のいずれかに記載の受信器モジュール。
【請求項１８】
前記基準品質レベルは、時間周期の期間において複数のキャリヤ周波数における推定信号品質の平均に設定される、請求項１から１６のいずれかに記載の受信器モジュール。
【請求項１９】
前記時間周期は、チャネルの干渉時間よりも短い、請求項１から１８のいずれかに記載の受信器モジュール。
【請求項２０】
チャネル振幅またはチャネル位相の少なくとも一方の前記推定は、入力信号の有効期間に実行される、請求項１から１９のいずれかに記載の受信器モジュール。
【請求項２１】
信号品質の前記推定は、入力信号の有効期間に実行される、請求項１から２０のいずれかに記載の受信器モジュール。
【請求項２２】
信号品質の前記推定は、入力信号のガードインターバルの期間に実行される、請求項１から２０のいずれかに記載の受信器モジュール。
【請求項２３】
複数の低品質キャリヤ周波数の前記決定は、入力信号のガードインターバルの期間に実行される、請求項１から２２のいずれかに記載の受信器モジュール。
【請求項２４】
前記時間周期は、入力信号のシンボル期間の所定数を含む、請求項１から２３のいずれかに記載の受信器モジュール。
【請求項２５】
前記基準品質レベルは、入力信号の各シンボルに関して更新される、請求項１から２４のいずれかに記載の受信器モジュール。
【請求項２６】
前記入力信号は、直交周波数分割多重（ＯＦＤＭ）変調信号である、請求項１から２５のいずれかに記載の受信器モジュール。
【請求項２７】
ダイバーシティ切替合成モジュールにおいて信号を受信する方法であって、
アンテナを介して受信された入力信号を変換し復調するステップと、
複数のキャリヤ周波数において、チャネル振幅またはチャネル位相の少なくとも一方を推定するステップと、
推定されたチャネル振幅またはチャネル位相の少なくとも一方に基づいて、複数のキャリヤ周波数における信号品質を推定するステップと、
時間周期にわたって推定された信号品質に基づいて、基準品質レベルを決定するステップと、
複数のキャリヤ周波数のうち、基準品質レベルよりも低い推定品質を有する低品質キャリヤ周波数の数を決定するステップと、を有する方法。
【請求項２８】
さらに
第１アンテナおよび第２アンテナの一方を受信器回路に選択的に接続するステップと、
前記第１アンテナに関して複数のキャリヤ周波数における信号品質を推定して格納するステップと、
基準品質レベルに基づいて、前記第１アンテナに関する低品質キャリヤ周波数の数を決定するステップと、
前記第１アンテナに関して決定された低品質キャリヤ周波数の数に基づいて、接続を制御するステップと、を有する、請求項２７に記載の方法。
【請求項２９】
前記制御するステップは、前記第１アンテナに関して決定された低品質キャリヤ周波数の数が所定数を超える場合、接続を変更する、請求項２８に記載の方法。
【請求項３０】
前記第１アンテナに関して決定された低品質キャリヤ周波数の数に基づいて、前記第２アンテナを前記受信器回路に接続するように、前記制御するステップが行う場合、
さらに、
前記第２アンテナに関して複数のキャリヤ周波数における信号品質を推定するステップと、
前記第１アンテナの格納された推定信号品質と前記第２アンテナの推定信号品質との比較に基づき、前記第１アンテナがより高い信号品質を有するかどうかを決定するステップと、
前記決定に基づいて接続を制御するステップと、を有する、請求項２８または２９に記載の方法。
【請求項３１】
前記制御するステップは、前記第１アンテナがより高い信号品質を有する場合、前記第１アンテナを前記受信器回路に接続するように行う、請求項３０に記載の方法。
【請求項３２】
さらに、
第１アンテナおよび第２アンテナの一方を受信器回路に選択的に接続するステップと、
前記第１アンテナに関して複数のキャリヤ周波数における信号品質を推定するステップと、
基準品質レベルに基づいて、前記第１アンテナに関する低品質キャリヤ周波数の数を決定して格納するステップと、
前記第１アンテナに関して決定された低品質キャリヤ周波数の数に基づいて、接続を制御するステップと、を有する請求項２７に記載の方法。
【請求項３３】
前記制御するステップは、前記第１アンテナに関して決定された低品質キャリヤ周波数の数が所定数を超える場合、接続を変更する、請求項３２に記載の方法。
【請求項３４】
前記第１アンテナに関して決定された低品質キャリヤ周波数の数に基づいて、前記第２アンテナを受信器回路に接続するように、前記制御するステップが行う場合、
さらに、
前記第２アンテナに関して複数のキャリヤ周波数における信号品質を推定するステップと、
前記基準品質レベルに基づいて、前記第１アンテナに関する格納された低品質キャリヤ周波数の数が、前記第２アンテナに関する低品質キャリヤ周波数の数よりも少ないかどうかを決定するステップと、
前記決定に基づいて接続を制御するステップと、を有する、請求項３２または３３に記載の方法。
【請求項３５】
前記制御するステップは、前記第１アンテナに関する低品質キャリヤ周波数の数が前記第２アンテナに関する低品質キャリヤ周波数の数よりも少ない場合、前記第１アンテナを前記受信器回路に接続するように接続を変更する、請求項３４に記載の方法。
【発明の詳細な説明】
【技術分野】
【０００１】
本発明は、広くは、ダイバーシティ切替合成モジュールにおいて信号を受信する受信器モジュールおよび方法に関する。
【背景技術】
【０００２】
マルチキャリヤ変調は、データを複数の並列なストリームに分割することによって、データのストリームを伝送し、各ストリームを用いてキャリヤを変調するための技術である。直交周波数分割多重（ＯＦＤＭ）は、マルチキャリヤ変調伝送技術の一例であり、無線ローカルエリアネットワーク（ＷＬＡＮ）およびデジタルビデオ放送（ＤＶＢ）システムなどの無線通信システムに、広く用いられている。ＯＦＤＭは、マルチパスフェージングの影響および／または強い信号干渉の影響を緩和することができるため、広く用いられている。
【０００３】
広帯域フェージングチャネルでは、異なるキャリヤは異なる範囲でフェージングが生じる。その結果、フェージングが強い一部のキャリヤは、きわめて低い出力で受信される可能性がある。このため、そのようなキャリヤを有するＯＦＤＭシステムの性能の劣化が生じる可能性がある。上述した問題に対処するために、アンテナダイバーシティ技術が採用されてきた。一般的なダイバーシティ受信器は、複数の別個の受信器（またはダイバーシティブランチ）からなり、各別個の受信器はそれ自体のアンテナを有する。それらの出力が独立にフェージングされるようにアンテナを配置することによって、各ダイバーシティブランチから受信されるキャリヤの各集合は効率的な方法で合成され、全体的な受信器性能を改良することができる。一般的な合成手法としては、最大比合成（ＭＲＣ）、選択合成（ＳＣ）および等利得合成（ＥＧＣ）が挙げられる。米国特許第６９４０９３２号は、上述のダイバーシティ受信器について記載している。
【０００４】
上述のダイバーシティ受信器は、同一の構造を有する複数の受信器を利用し、コストおよび回路サイズを増大させる結果をもたらす。回路の複雑さおよびコストを低減するために、１つの別法はダイバーシティ切替合成器を用いることであり、この方法では、１つのみの受信器がダイバーシティ受信器に必要とされる。受信器は、一定の切替基準に従って、複数のアンテナ間で切り替えられる。切替基準の一例は、異なるアンテナによって提供される信号強度である。
【０００５】
現在、ＯＦＤＭシステム用のダイバーシティ切替合成用の方法は多数ある。１つの方法は、受信信号を分割し、２つの別個のチャネルに送信し、各チャネルがそれぞれの周波数帯域を搬送することである。各チャネルの入力は、異なるアンテナの間で切り替られる。切替設定は、異なる設定に関する信号品質に基づいて決定される（米国特許出願第２００６／０００９１７６号参照）。この方法によって生じる可能性がある１つの問題点は、異なるアンテナで受信された信号に同時にアクセスするために、スプリッタ、スイッチおよびフィルタをそれぞれ備える２つの基本的なフロントエンドが一般に必要とされることである。
【０００６】
上述した方法の代わりに、別の方法が提案されている。この方法は、周波数帯域全体にわたって受信信号を処理することに向けられている。たとえば、各ガードインターバルの期間に、アンテナは、異なるアンテナによって提供される信号強度に基づいて選択されることができる（米国特許出願第２００５／０２５４６０８号参照）。しかし、フェージング特性が異なるキャリヤの間では多様化するため、この方法によって生じる可能性がある１つの問題点は、遅延の広がりが大きい場合、通常得られるのは小さなダイバーシティ利得のみであることである。さらに、各ガードインターバルの期間にアンテナの切り替えが生じるため、一般に、電力消費が高めである。
【０００７】
ダイバーシティ切替合成に関するさらに別の方法は、各キャリヤを独立に評価することに向けられている。特開２００５−２３６６６６号は、作動中のアンテナに関して、低い信号レベルのキャリヤの数が一定の値を超える場合に生じる、アンテナの切り替えについて記載している。低い信号レベルのキャリヤは、信号振幅に基づいて決定される。しかし、この方法によって生じる可能性がある１つの問題点は、代替アンテナに関するキャリヤの信号品質が作動中のアンテナの信号品質よりも劣る場合、不必要なアンテナの切り替えが生じる可能性があることである。
【０００８】
米国特許出願第２００５／０１０７０４８号に記載されたダイバーシティ切替合成に関する別の方法では、受信器は、各ガードインターバルの期間に２つのアンテナの間で切り替えられ、キャリヤの信号振幅が２つのアンテナに関して推定される。２つのアンテナの一方を用いるための決定は、いずれのアンテナがより強いキャリヤをより多く提供するかを決定することによってなされる。
【０００９】
生じる可能性がある１つの問題点は、高速フーリエ変換（ＦＦＴ）がＯＦＤＭシンボルのガードインターバルの期間における限られた数のサンプルに適用されるだけであるため、キャリヤの信号振幅推定が不正確な可能性があることである。生じる可能性がある別の問題点は、切替制御に用いられるＦＦＴ演算に加えて、ＯＦＤＭシンボル復調のために他のＦＦＴ演算もまた必要であることである。生じる可能性があるさらに別の問題点は、アンテナの切り替えが各ガードインターバルの期間に実行されるため、そのような切り替えは一般に、電力消費が高めな結果に終わることである。
【００１０】
上述した点に加えて、上述の電力消費の問題点は、バッテリ駆動型デバイスの場合特に決定的であることが認識されている。
【特許文献１】米国特許第６９４０９３２号明細書
【特許文献２】米国特許出願公開第２００６／０００９１７６号明細書
【特許文献３】米国特許出願公開第２００５／０２５４６０８号明細書
【特許文献４】特開２００５−２３６６６６号公報
【特許文献５】米国特許出願公開第２００５／０１０７０４８号明細書
【発明の開示】
【発明が解決しようとする課題】
【００１１】
したがって、上述の問題点の少なくとも１つに対処しようとするダイバーシティ切替合成を用いて信号を受信する受信器モジュールおよび方法に対する需要がある。
【課題を解決するための手段】
【００１２】
本発明の第１態様によれば、アンテナを介して受信される入力信号を変換し復調するとともに、複数のキャリヤ周波数においてチャネル振幅またはチャネル位相の少なくとも一方を推定する受信器回路と、推定されたチャネル振幅またはチャネル位相の少なくとも一方に基づいて、複数のキャリヤ周波数における信号品質を推定し、時間周期にわたって推定された信号品質に基づいて、基準品質レベルを決定する品質推定ユニットと、複数のキャリヤ周波数のうち、基準品質レベルよりも低い推定品質を有する低品質キャリヤ周波数の数を決定する品質評価ユニットと、を有する受信器モジュールが提供される。
【００１３】
受信器モジュールは、さらに、第１アンテナおよび第２アンテナと、第１アンテナおよび第２アンテナの一方を受信器回路に選択的に接続する切替ユニットと、切替ユニット用の制御ユニットと、を有することができ、品質推定ユニットは第１アンテナに関して複数のキャリヤ周波数における信号品質を推定して格納することができ、品質評価ユニットは基準品質レベルに基づいて、第１アンテナに関する低品質キャリヤ周波数の数を決定することができ、制御ユニットは第１アンテナに関して決定された低品質キャリヤ周波数の数に基づいて、切替ユニットの設定を制御することができる。
【００１４】
第１アンテナに関して決定された低品質キャリヤ周波数の数が所定数を超える場合、制御ユニットは切替ユニットの設定を変更することができる。
【００１５】
制御ユニットが、第１アンテナに関して決定された低品質キャリヤ周波数の数に基づいて、第２アンテナを受信器回路に接続するように切替ユニットを制御する場合、品質推定ユニットは、第２アンテナに関して複数のキャリヤ周波数における信号品質を推定することができ、品質評価ユニットは、第１アンテナの格納された推定信号品質と第２アンテナの推定信号品質との比較に基づき、第１アンテナがより高い信号品質を有するかどうかを決定することができ、制御ユニットは、品質評価ユニットによる上述した決定に基づいて、切替ユニットの設定を制御することができる。
【００１６】
第１アンテナがより高い信号品質を有する場合、制御ユニットは第１アンテナを受信器回路に接続するように切替ユニットを制御することができる。
【００１７】
受信器モジュールは、さらに、第１アンテナおよび第２アンテナと、第１アンテナおよび第２アンテナの一方を受信器回路に選択的に接続する切替ユニットと、切替ユニット用の制御ユニットと、を有することができ、品質推定ユニットは第１アンテナに関して複数のキャリヤ周波数における信号品質を推定することができ、品質評価ユニットは基準品質レベルに基づいて、第１アンテナに関する低品質キャリヤ周波数の数を決定して格納することができ、制御ユニットは第１アンテナに関して決定された低品質キャリヤ周波数の数に基づいて、切替ユニットの設定を制御することができる。
【００１８】
第１アンテナに関して決定された低品質キャリヤ周波数の数が所定数を超える場合、制御ユニットは切替ユニットの設定を変更することができる。
【００１９】
制御ユニットが、第１アンテナに関して決定された低品質キャリヤ周波数の数に基づいて、第２アンテナを受信器回路に接続するように切替ユニットを制御する場合、品質推定ユニットは、第２アンテナに関して複数のキャリヤ周波数における信号品質を推定することができ、品質評価ユニットは、上述した基準品質レベルに基づいて、第１アンテナに関する格納された低品質キャリヤ周波数の数が、第２アンテナに関する低品質キャリヤ周波数の数よりも少ないかどうかを決定することができ、制御ユニットは、品質評価ユニットによる上述した決定に基づいて、切替ユニットの設定を制御することができる。
【００２０】
第１アンテナに関する低品質キャリヤ周波数の数が、第２アンテナに関する低品質キャリヤ周波数の数よりも少ない場合、制御ユニットは第１アンテナを受信器回路に接続するように切替ユニットを制御することができる。
【００２１】
切替ユニットの設定の制御は、入力信号のガードインターバルの期間に実行されることができる。
【００２２】
複数のキャリヤ周波数は、既知の値を有するパイロットキャリヤ周波数の信号を含むことができる。
【００２３】
チャネル振幅またはチャネル位相の少なくとも一方の推定は、各パイロットキャリヤ周波数において実行されることができる。
【００２４】
チャネル振幅またはチャネル位相の少なくとも一方の推定は、各キャリヤ周波数において実行されることができる。
【００２５】
信号品質の推定は、各パイロットキャリヤ周波数における上述の推定されたチャネル振幅またはチャネル位相の少なくとも一方に基づいてもよい。
【００２６】
信号品質の推定は、各キャリヤ周波数における上述の推定されたチャネル振幅またはチャネル位相の少なくとも一方に基づいてもよい。
【００２７】
信号品質の推定は、パイロットキャリヤ周波数の測定値と信号コンスタレーションにおける既知の補正位置との間の距離に基づいてもよい。
【００２８】
基準品質レベルは、時間周期の期間において複数のパイロットキャリヤ周波数における推定信号品質の平均に設定されてもよい。
【００２９】
基準品質レベルは、時間周期の期間において複数のキャリヤ周波数における推定信号品質の平均に設定されてもよい。
【００３０】
時間周期は、チャネルの干渉時間よりも短くてもよい。
【００３１】
チャネル振幅またはチャネル位相の少なくとも一方の推定は、入力信号の有効期間に実行されることができる。
【００３２】
信号品質の推定は、入力信号の有効期間に実行されることができる。
【００３３】
信号品質の推定は、入力信号のガードインターバルの期間に実行されることができる。
【００３４】
複数の低品質キャリヤ周波数の決定は、入力信号のガードインターバルの期間に実行されることができる。
【００３５】
時間周期は、入力信号のシンボル期間の所定数を含むことができる。
【００３６】
基準品質レベルは、入力信号の各シンボルに関して更新されることができる。
【００３７】
入力信号は、直交周波数分割多重（ＯＦＤＭ）変調信号であってもよい。
【００３８】
本発明の第２態様によれば、ダイバーシティ切替合成モジュールにおいて信号を受信する方法であって、アンテナを介して受信された入力信号を変換し復調するステップと、複数のキャリヤ周波数においてチャネル振幅またはチャネル位相の少なくとも一方を推定するステップと、推定されたチャネル振幅またはチャネル位相の少なくとも一方に基づいて、複数のキャリヤ周波数における信号品質を推定するステップと、時間周期にわたって推定された信号品質に基づいて、基準品質レベルを決定するステップと、複数のキャリヤ周波数のうち、基準品質レベルよりも低い推定品質を有する低品質キャリヤ周波数の数を決定するステップと、を有する方法が提供される。
【００３９】
方法は、さらに、第１アンテナおよび第２アンテナの一方を受信器回路に選択的に接続するステップと、第１アンテナに関して複数のキャリヤ周波数における信号品質を推定して格納するステップと、基準品質レベルに基づいて、第１アンテナに関する低品質キャリヤ周波数の数を決定するステップと、第１アンテナに関して決定された低品質キャリヤ周波数の数に基づいて、接続を制御するステップと、を有することができる。
【００４０】
制御するステップは、第１アンテナに関して決定された低品質キャリヤ周波数の数が所定数を超える場合、接続を変更することができる。
【００４１】
第１アンテナに関して決定された低品質キャリヤ周波数の数に基づいて、第２アンテナを受信器回路に接続するように、制御するステップが行う場合、方法は、さらに、第２アンテナに関して複数のキャリヤ周波数における信号品質を推定するステップと、第１アンテナの格納された推定信号品質と第２アンテナの推定信号品質との比較に基づき、第１アンテナがより高い信号品質を有するかどうかを決定するステップと、上述した決定に基づいて接続を制御するステップと、を有することができる。
【００４２】
制御するステップは、第１アンテナがより高い信号品質を有する場合、第１アンテナを受信器回路に接続するように、行うことができる。
【００４３】
方法は、さらに、第１アンテナおよび第２アンテナの一方を受信器回路に選択的に接続するステップと、第１アンテナに関して複数のキャリヤ周波数における信号品質を推定するステップと、基準品質レベルに基づいて、第１アンテナに関する低品質キャリヤ周波数の数を決定して格納するステップと、第１アンテナに関して決定された低品質キャリヤ周波数の数に基づいて、接続を制御するステップと、を有することができる。
【００４４】
制御するステップは、第１アンテナに関して決定された低品質キャリヤ周波数の数が所定数を超える場合、接続を変更することができる。
【００４５】
第１アンテナに関して決定された低品質キャリヤ周波数の数に基づいて、第２アンテナを受信器回路に接続するように、制御するステップが行う場合、方法は、さらに、第２アンテナに関して複数のキャリヤ周波数における信号品質を推定するステップと、上述した基準品質レベルに基づいて、第１アンテナに関する格納された低品質キャリヤ周波数の数が、第２アンテナに関する低品質キャリヤ周波数の数よりも少ないかどうかを決定するステップと、上述した決定に基づいて接続を制御するステップと、を有することができる。
【００４６】
制御するステップは、第１アンテナに関する低品質キャリヤ周波数の数が第２アンテナに関する低品質キャリヤ周波数の数よりも少ない場合、第１アンテナに受信器回路を接続するように、接続を変更することができる。
【発明の効果】
【００４７】
本発明のダイバーシティ切替合成を用いて信号を受信する受信器モジュールおよび方法によれば、各ガードインターバルにおける切り替えが必要とされないため、電力消費を削減することができる。また、作動中のアンテナに関するキャリヤの信号品質が十分である場合、アンテナ切替が実行されないため、電力消費をさらに削減することができる。
【発明を実施するための最良の形態】
【００４８】
本発明の実施の形態は、単なる一例として、図面に関連して以下に記載された説明から当業者にはよりよく理解され、容易に明白となるであろう。
【００４９】
以下に記載される実施の形態は、ダイバーシティ切替合成を用いて信号を受信する受信器モジュールおよび方法を提供することができる。信号は、マルチキャリヤ信号であってもよく、さらに、広帯域信号であってもよい。説明する目的のために、ＯＦＤＭシステムが、実施の形態において記載されている。
【００５０】
以下の説明の一部は、アルゴリズム、ならびにコンピュータメモリ内のデータ操作の機能的表示もしくは記号表示に関して、明示的にもしくは暗黙的に提示される。これらのアルゴリズムの説明、ならびに機能的表示もしくは記号表示は、当業者に作業の内容をもっとも効率的に伝えるために、データ処理技術の当業者によって用いられる手段である。ここでは、アルゴリズムは一般的に、所望の結果に繋がる自己矛盾のない一連のステップと考えられる。ステップは、格納、伝送、合成、比較および他の操作を行うことができる電気信号、磁気信号、または光信号などの物理量の物理的操作を必要とするステップである。
【００５１】
特に記載しない限り、以下から明白であるように、本明細書を通じて、「走査」、「計算」、「決定」、「置換」、「生成」、「初期化」、「出力」などの用語を用いる記述は、計算システム内の物理量として表現されるデータを操作して、計算システム、または他の情報記憶装置、情報伝送装置、もしくは情報表示装置内の物理量として同様に表現される他のデータに変換する、計算システムもしくは類似の電子装置における動作および処理を指すことは十分に認識されよう。
【００５２】
本明細書はまた、方法の動作を行うための装置を開示する。そのような装置は、必要な目的のために特に構成されてもよく、コンピュータに格納されたコンピュータプログラムによって選択的に作動または再構成される、汎用コンピュータまたは他のデバイスを備えていてもよい。本願明細書で提供されるアルゴリズムは、本質的に特定のコンピュータまたは他の装置に関連しているわけではない。種々の汎用機械が、本願明細書の教示によるプログラムと共に用いられてもよい。あるいは、必要な方法ステップを実行するため、さらに専用化された装置の構造が適している場合もある。
【００５３】
さらに、本明細書はまた、本願明細書に記載される方法の個別のステップがコンピュータコードによって実行されてもよいことは、当業者には明白であろうという理由から、コンピュータプログラムを暗黙的に開示する。コンピュータプログラムは、特定のプログラミング言語およびその実装に限定されることを意図しているわけではない。種々のプログラミング言語およびそのコーディングが、本願明細書に含まれる開示の教示を実現するために用いられることができることは、十分に認識されよう。さらに、コンピュータプログラムは、特定の制御フローに限定されることを意図しているわけではない。本発明の精神および範囲から逸脱することなく、異なる制御フローを用いることができる、コンピュータプログラムのその他多くの変形がある。
【００５４】
さらに、コンピュータプログラムの１つ以上のステップが、順次ではなく、並列に実行されることができる。そのようなコンピュータプログラムは、任意のコンピュータ読み出し可能媒体に格納されることができる。コンピュータプログラムは、汎用コンピュータ上にロードされて効率的に実行されるときに、結果として好ましい方法のステップを実行する装置になる。
【００５５】
図１は、実施の形態において入力するＯＦＤＭ信号１０２を示す概略図である。信号１０２において、第１シンボル１０４は第１ガードインターバル１０６および第１有効期間１０８を含み、第２シンボル１１０は第２ガードインターバル１１２および第２有効期間１１４を含み、第３シンボル１１６は第３ガードインターバル１１８および第３有効期間１２０を含む。
【００５６】
図２は、実施の形態においてＯＦＤＭダイバーシティ受信器２０２を示す概略ブロック図である。受信器２０２は、アンテナ部２０４、スイッチ２０６、受信器回路２０８、および切替合成ユニット２１０を備える。
【００５７】
アンテナ部２０４において、第１アンテナ２１２および第２アンテナ２１４は、それらのアンテナ出力が実質的に独立にフェードされるように配置される。第１アンテナ２１２または第２アンテナ２１４のいずれかの出力が、スイッチ２０６を動作させることによって、受信器回路２０８に接続される。実施の形態が２つのアンテナを用いることに限定されていないことは、当業者には認識されるであろう。
【００５８】
以下の説明において、作動中のアンテナは信号を受信するために現在選択されているアンテナであり、代替アンテナは作動中のアンテナが性能において貧弱であると決定された後に切り替えられるアンテナである。説明する目的のために、現在作動中のアンテナは第１アンテナ２１２とみなされ、代替アンテナは第２アンテナ２１４とみなされる。
【００５９】
受信器回路２０８は、同調器２１６、ＦＦＴおよびチャネル推定ブロック２１８、ならびに復調器２２０を備える。同調器２１６は、数字２２２で受信された入力信号をベースバンドフォーマットにダウンコンバートする。ＦＦＴおよびチャネル推定ブロック２１８は、ＯＦＤＭキャリヤ信号を生成する。復調器２２０は、ＦＦＴおよびチャネル推定ブロック２１８から出力された信号を復調する。さらに、ＦＦＴおよびチャネル推定ブロック２１８は、複数のパイロットキャリヤ周波数において、信号のチャネル振幅またはチャネル位相の少なくとも一方に関する情報を提供する。この情報はまた、チャネル状態情報またはチャネル推定値とも呼ばれる。パイロットキャリヤ周波数における信号は、既知の値である。その結果、チャネル振幅またはチャネル位相の少なくとも一方は、各パイロットキャリヤ周波数において推定されることができる。あるいは、ＦＦＴおよびチャネル推定ブロック２１８は、上述した振幅および位相の結果を補間して、すべてのキャリヤ周波数で類似の情報を提供することができる。実施の形態において、キャリヤ周波数を独立に評価することによって、異なるキャリヤ周波数のフェージングの影響が考慮される。
【００６０】
図３は、第１実施の形態において切替合成ユニット２１０を示す概略ブロック図である。切替合成ユニット２１０は、品質推定モジュール３０２、品質評価モジュール３０４、閾値メモリモジュール３０６、第１キャリヤ品質メモリモジュール３０８、第２キャリヤ品質メモリモジュール３１０、および切替制御モジュール３１２を備える。切替制御モジュール３１２の出力は、スイッチ２０６（図２）の設定を制御するために用いられる（図２の数字２２４参照）。
【００６１】
品質推定モジュール３０２は、ＯＦＤＭキャリヤ信号およびＦＦＴおよびチャネル推定ブロック２１８によって提供されるキャリヤのチャネル推定値に基づいて、複数のキャリヤ周波数における信号品質を推定する。信号品質推定値は、それぞれの第１アンテナ２１２（図２）または第２アンテナ２１４（図２）が作動中であるかどうかに応じて、第１キャリヤ品質メモリモジュール３０８または第２キャリヤ品質メモリモジュール３１０のいずれかに格納される。実施の形態において、切替合成プロセスにおいてパイロットキャリヤのみが考えられる場合、第１キャリヤ品質メモリモジュール３０８および第２キャリヤ品質メモリモジュール３１０の最小容量は、ＯＦＤＭシンボルごとのパイロットキャリヤの数に等しい。
【００６２】
品質推定モジュール３０２は、複数の方法を用いて複数のキャリヤ周波数における信号品質を推定することができる。たとえば、各キャリヤ周波数におけるチャネル振幅は、品質指標として用いられることができる。１つの別法は、信号品質を推定するために、各パイロットキャリヤ周波数におけるチャネル振幅を用いることである。別の方法は、品質メリットとして信号コンスタレーションにおける予想補正位置からキャリヤ出力までの距離を用いることである。
【００６３】
実施の形態において、複数のキャリヤ周波数におけるチャネル推定値および品質推定値は、ＯＦＤＭ信号、たとえば１０２（図１）の有効期間、たとえば１０８（図１）の期間に得られる。あるいは、品質推定値は、ＯＦＤＭ信号、たとえば１０２（図１）のガードインターバル、たとえば１１２（図１）の期間に得られることができる。
【００６４】
品質評価モジュール３０４は、作動中のアンテナ２１２（図２）に関して複数のキャリヤ周波数における品質推定値を、品質推定モジュール３０２によって得られた所定の閾値または基準品質レベルと比較するために用いられる。品質推定モジュール３０２によって得られた閾値は、品質評価モジュール３０４に伝送される。閾値よりも小さい品質推定値を有するキャリヤは、低品質であるとみなされる。続いて、低品質キャリヤの数が、切替制御モジュール３１２に転送される。作動中のアンテナ２１２（図２）に関する低品質キャリヤの数に加えて、２つのアンテナ２１２、２１４（図２）に関する複数のキャリヤ周波数における品質推定値もまた、第１キャリヤ品質メモリモジュール３０８および第２キャリヤ品質メモリモジュール３１０から切替制御モジュール３１２に送信される。
【００６５】
閾値または基準品質レベルに関して、品質評価プロセスにおいて用いるための閾値を決定する方法は、複数ある。たとえば、切替合成プロセスにおいてパイロットキャリヤのみが考えられる場合、閾値は、時間周期の期間において複数のパイロットキャリヤ周波数における品質推定値の平均に設定されることができる。あるいは、閾値は、時間周期の期間において（パイロットキャリヤ周波数ではなく）複数のキャリヤ周波数における品質推定値の平均に設定されることができる。実施の形態において、閾値は、第１アンテナ２１２（図２）および第２アンテナ２１４（図２）の両方に共通である。
【００６６】
実施の形態において、上述した時間周期は、チャネルの干渉時間よりも短く維持される。しかし、時間周期は、複数のＯＦＤＭシンボル期間の範囲にわたってもよい。したがって、閾値を決定するために考えられる一部のＯＦＤＭシンボルは、第１アンテナ２１２（図２）によって受信されることができ、他のシンボルは、第２アンテナ２１４（図２）によって受信されることができる。実施の形態において、閾値は各ＯＦＤＭシンボルに関して更新されることが好ましい。たとえば、現在のＯＦＤＭシンボルに関する閾値を計算するために、上述した時間周期がＮ個のＯＦＤＭシンボル期間の範囲にわたるように選択される場合、前のＮ−１個のＯＦＤＭシンボルに関する品質推定値のＮ−１個平均値が、閾値メモリモジュール３０６に格納される。現在のＯＦＤＭシンボルに関する閾値は、格納されたＮ−１個平均値および現在のＯＦＤＭシンボルに関する品質推定値に基づいて計算される。
【００６７】
切替制御モジュール３１２は、２つの異なるモードで動作する。第１モードでは、切替制御モジュール３１２は、作動中のアンテナ２１２（図２）に関する低品質キャリヤの数を一定の数と比較する。たとえば、切替合成プロセスにおいてパイロットキャリヤのみが考えられる場合、一定の数はＯＦＤＭシンボルごとのパイロットキャリヤ数の約４０％に設定されることができる。作動中のアンテナ２１２（図２）に関する低品質キャリヤの数が一定の数よりも多い場合、切替制御モジュール３１２は代替アンテナ２１４（図２）に切り替えるようにスイッチ２０６（図２）を制御する。
【００６８】
第２モードでは、切替制御モジュール３１２は、２つのアンテナ２１２、２１４（図２）に関する各キャリヤ周波数における品質推定値を比較する。代替アンテナ２１４（図２）が作動中のアンテナ２１２（図２）よりも高い品質を有するキャリヤをより多く提供する場合、切替制御モジュール３１２は代替アンテナ２１４（図２）に切り替えるようにスイッチ２０６（図２）を制御する。
【００６９】
図４は、第１実施の形態において、アンテナダイバーシティ信号受信を示すフローチャート４００である。図１〜図３もまた参照する。
【００７０】
ステップ４０２において、第１実施の形態の受信動作が開始される。ステップ４０４において、受信器２０２（図２）は、作動中のアンテナ２１２（図２）を用いて、入力信号１０２（図１）の第１シンボル１０４（図１）の第１有効期間１０８（図１）を受信する。同一のステップにおいて、第１アンテナ２１２（図２）に関するチャネル状態情報は、ＦＦＴおよびチャネル推定ブロック２１８（図２）によって得られる。
【００７１】
ステップ４０６において、第２シンボル１１０（図１）の第２ガードインターバル１１２（図１）の期間に、受信器２０２（図２）は、第１アンテナ２１２（図２）に関するキャリヤのチャネル状態情報に基づき、複数のキャリヤ周波数における信号品質を推定する。この同一のステップにおいて、受信器２０２（図２）はまた、対応する第１キャリヤ品質メモリモジュール３０８（図３）におけるキャリヤ品質推定値も格納する。
【００７２】
ステップ４０８において、受信器２０２（図２）は、第１アンテナ２１２（図２）に関するキャリヤ品質推定値から低品質キャリヤの数を決定する。上述したように、決定は、たとえば、時間周期の期間において複数のキャリヤ周波数における品質推定値の平均値から得られる閾値に基づいている。
【００７３】
ステップ４０８において第１アンテナ２１２に関する品質評価が終了した後、ステップ４１０において、受信器２０２（図２）は、第１アンテナ２１２（図２）に関する低品質キャリヤの数を一定の数と比較する。低品質キャリヤの数が一定の数よりも少ない場合、第１アンテナ２１２（図２）に関する信号品質は十分であると考えられる。
【００７４】
ステップ４１２において信号品質が十分である場合、受信器２０２（図２）は、第１アンテナ２１２（図２）を用いて、第２シンボル１１０（図１）の第２有効期間１１４（図１）の受信を続行する。ステップ４１２の後に、受信動作はステップ４０２に戻ってループする。ステップ４１０において信号品質が十分でない場合、ステップ４１６で受信器２０２（図２）は、代替の第２アンテナ２１４（図２）を作動させて第２シンボル１１０（図１）の第２有効期間１１４（図１）を受信する。
【００７５】
ステップ４１８において、第３シンボル１１６（図１）の第３ガードインターバル１１８（図１）の期間に、受信器２０２（図２）は、第２アンテナ２１４（図２）に関するチャネル状態情報に基づき、複数のキャリヤ周波数における品質推定値を決定する。この同一のステップにおいて、受信器２０２（図２）は、キャリヤ品質推定値を対応する第２キャリヤ品質メモリモジュール３１０（図３）に格納する。
【００７６】
ステップ４２０において、第１アンテナ２１２（図２）および第２アンテナ２１４（図２）に関するキャリヤ品質推定値、言い換えればそれぞれステップ４０６および４１８で格納されたキャリヤ品質推定値に基づいて、受信器２０２（図２）は、第１アンテナ２１２（図２）および第２アンテナ２１４（図２）のいずれがより多数のキャリヤに関してより高い信号品質を形成するかを決定する。
【００７７】
第１アンテナ２１２（図２）が第２アンテナ２１４（図２）よりも強いキャリヤをより多く提供する場合、ステップ４２２において、受信器２０２（図２）は第１アンテナ２１２（図２）を作動させて第３シンボル１１６の第３有効期間１２０を受信する。ステップ４２２の後に、受信動作は、ステップ４０２に戻ってループする。
【００７８】
第２アンテナ２１４（図２）が第１アンテナ２１２（図２）よりも強いキャリヤをより多く提供する場合、ステップ４２６において、受信器２０２（図２）は第２アンテナ２１４（図２）を用いて第３シンボル１１６の第３有効期間１２０を受信する。ステップ４２６の後に、受信動作は、ステップ４０２に戻ってループする。
【００７９】
上述した実施の形態は、低信号品質キャリヤの数を決定するための「可変」閾値を用い（たとえば、ステップ４０８参照）、アンテナの切り替えは、閾値（たとえば、ステップ４１０参照）および２つのアンテナに関する品質推定値（たとえば、ステップ４２０参照）に基づいている。
【００８０】
したがって、各ガードインターバルにおける切り替えが必要とされないため、実施の形態は電力消費を削減することができる。さらに、実施の形態は、２つのアンテナに関する品質推定値の結果の比較に基づいて、不必要なアンテナの切り替えを低減することができる。
【００８１】
さらに、上述した実施の形態は、単一のフロントエンドを用いているにすぎず、キャリヤを独立に評価することによって、異なるキャリヤに関するフェージングの影響も考慮している。さらに、キャリヤのチャネルおよび品質推定値を得るために、ＦＦＴがＯＦＤＭシンボルの有効期間に適用され、ＦＦＴ演算のみが切替制御およびデータ復調の両方に関して実行される。これにより、より正確な推定結果を提供することができ、たとえば、ガードインターバルにおけるさらなるＦＦＴ処理を回避することができる。さらに、実施の形態は、作動中のアンテナに関するキャリヤの信号品質が十分である場合、アンテナ切替が実行されないため、電力消費をさらに削減することができる。
【００８２】
上述した第１実施の形態の説明に続いて、第２実施の形態が以下に記載される。
【００８３】
図５は、第２実施の形態における切替合成ユニット２１０を示す概略ブロック図である。切替合成ユニット２１０は、品質推定モジュール５０２、品質評価モジュール５０４、閾値メモリモジュール５０５、第１キャリヤ品質メモリモジュール５０６、第２キャリヤ品質メモリモジュール５０８、および切替制御モジュール５１０を備える。切替制御モジュール５１０の出力は、スイッチ２０６（図２）を制御するために用いられる（図２の数字２２４参照）。閾値メモリモジュール５０５は、ＯＦＤＭシンボルに関する品質推定値の平均値を格納するために用いられる。
【００８４】
図５のモジュールは図３のモジュールと同一の名称が付けられているが、以下に記載される機能の差があることは当業者には認識されよう。
【００８５】
品質推定モジュール５０２は、品質推定モジュール３０２（図３）とは異なり、第１キャリヤ品質メモリモジュール５０６または第２キャリヤ品質メモリモジュール５０８において複数のキャリヤ周波数における品質推定値を格納しない。その代わりに、第１アンテナ２１２（図２）または第２アンテナ２１４（図２）のいずれが現在作動中であるかに応じて、品質評価モジュール５０４は、第１キャリヤ品質メモリモジュール５０６または第２キャリヤ品質メモリモジュール５０８に、低品質キャリヤの数を格納する。したがって、この第２実施の形態における切替合成ユニット２１０は、メモリの要件に関して第１実施の形態における切替合成ユニット２１０に比べて利点がある。
【００８６】
さらに、切替制御モジュール５１０は、切替制御モジュール３１２（図３と比較のこと）とは異なり、品質評価モジュール５０４に直接連結されるわけではない。その代わりに、切替制御モジュール５１０は、それぞれ第１キャリヤ品質メモリモジュール５０６および第２キャリヤ品質メモリモジュール５０８から検索されるように、２つのアンテナ２１２、２１４に関する低品質キャリヤの数（図２）に基づいて動作する。
【００８７】
切替制御モジュール５１０は、２つの異なるモードで動作する。第１モードにおいて、切替制御モジュール５１０は、作動中のアンテナ２１２（図２）に関する低品質キャリヤの数を一定の数と比較する。低品質キャリヤの数が一定の数よりも多い場合、切替制御モジュール５１０は、スイッチ２０６（図２）を制御して代替アンテナ２１４（図２）に切り替える。
【００８８】
第２実施形態において、切替制御モジュール５１０は、２つのアンテナ２１２、２１４（図２）に関する低品質キャリヤの２つの数を比較する。代替アンテナ２１４（図２）が作動中のアンテナ２１２（図２）よりも少ない数の低品質キャリヤを提供する場合、切替制御モジュール５１０は、スイッチ２０６（図２）を制御して代替アンテナ２１４（図２）に切り替える。
【００８９】
図６は、第２実施の形態におけるアンテナダイバーシティ信号受信を示すフローチャート６００である。図１、図２、および図５もまた参照される。
【００９０】
ステップ６０２において、第２実施の形態において受信動作が開始される。ステップ６０４において、受信器２０２（図２）は、作動している第１アンテナ２１２（図２）を利用して、入力信号１０２（図１）の第１シンボル１０４（図１）の第１有効期間１０８（図１）を受信する。
【００９１】
ステップ６０６において、第２シンボル１１０（図１）の第２ガードインターバル１１２（図１）の期間に、受信器２０２（図２）は、第１アンテナ２１２（図２）に関するキャリヤのチャネル状態情報に基づいて、複数のキャリヤ周波数における信号品質を推定する。
【００９２】
ステップ６０８において、受信器は、第１アンテナ２１２（図２）に関するキャリヤ品質推定値に基づいて、低品質キャリヤの数を決定する。決定は、上述したように、たとえば、時間周期の期間において複数のキャリヤ周波数における品質推定値の平均から得られる閾値に基づいている。さらに、この同一のステップにおいて、受信器２０２（図２）は、低品質キャリヤの数を第１キャリヤ品質メモリモジュール５０６（図５）に格納する。
【００９３】
ステップ６１０において、受信器２０２（図２）は、第１アンテナ２１２（図２）に関する低品質キャリヤの数を一定の数と比較する。低品質キャリヤの数は一定の数よりも少ない場合、ステップ６１２において受信器２０２（図２）は第１アンテナ２１２（図２）を用いて第２シンボル１１０（図１）の第２有効期間１１４（図１）を受信する。ステップ６１２の後に、受信動作はステップ６０２に戻ってループする。
【００９４】
ステップ６１０において低品質キャリヤの数が一定の数よりも多い場合、ステップ６１６において、受信器２０２（図２）が代替の第２アンテナ２１４（図２）を作動して、第２シンボル１１０（図１）の第２有効期間１１４（図１）を受信する。
【００９５】
ステップ６１８において、第３シンボル１１６の第３ガードインターバル１１８の期間に、受信器２０２（図２）は、第２アンテナ２１４（図２）に関するチャネル状態情報に基づいて、複数のキャリヤ周波数における品質推定値を決定する。ステップ６２０において、受信器２０２（図２）は、第２アンテナ２１４（図２）に関する低品質キャリヤの数を決定する。決定は、ステップ６０８で用いられる閾値に基づいている。この同一のステップ６２０において、受信器２０２（図２）は、数を第２キャリヤ品質メモリモジュール５０８に格納する。
【００９６】
ステップ６２２において、受信器２０２（図２）は、第１アンテナ２１２（図２）および第２アンテナ２１４（図２）のいずれがより少ない低品質キャリヤを生成するかを決定する。
【００９７】
第１アンテナ２１２（図２）が第２アンテナ２１４（図２）に比べてより少ない低品質キャリヤを提供する場合、ステップ６２４において受信器２０２（図２）は、第１アンテナ２１２（図２）を作動させて第３シンボル１１６の第３有効期間１２０を受信する。ステップ６２４の後に、受信動作はステップ６０２に戻ってループする。
【００９８】
第２アンテナ２１４（図２）が第１アンテナ２１２（図２）に比べてより少ない低品質キャリヤを提供する場合、ステップ６２８において受信器２０２（図２）は、第２アンテナ２１４（図２）を作動させて第３シンボル１１６の第３有効期間１２０を受信する。ステップ６２８の後に、受信動作はステップ６０２に戻ってループする。
【００９９】
図７は、ダイバーシティ切替合成モジュールにおいて信号を受信するための方法を示すフローチャート７００である。ステップ７０２において、アンテナを介して受信された入力信号が変換され、復調される。ステップ７０４において、チャネル振幅またはチャネル位相の少なくとも一方が、複数のキャリヤ周波数で推定される。ステップ７０６において、推定されたチャネル振幅またはチャネル位相の少なくとも一方に基づいて、複数のキャリヤ周波数における信号品質が推定される。ステップ７０８において、時間周期にわたって推定された信号品質に基づいて、基準品質レベルが決定される。ステップ７１０において、複数のキャリヤ周波数のうち、基準品質レベルよりも低い推定品質を有する低品質キャリヤ周波数の数が決定される。
【０１００】
上述した実施の形態は、各ガードインターバルにおける切り替えが必要とされないため、電力消費を削減することができる。さらに、実施の形態は、単一の高周波数（ＲＦ）フロントエンドを用いているにすぎず、キャリヤを独立に評価することによって異なるキャリヤにおけるフェージングの影響を考慮している。さらに、実施の形態は、ＯＦＤＭシンボルの有効期間を利用して複数のキャリヤ周波数におけるチャネルおよび品質推定を行うことができる。これにより、より正確な推定結果を提供することができ、さらなるＦＦＴ処理を削減することができる。実施の形態はまた、アンテナ選択手続きを開始するかどうかを決定するために、作動中のアンテナに関する複数のキャリヤ周波数において、品質推定値を評価することができる。さらに、実施の形態において、アンテナ選択が必要とされる場合、２つのアンテナのいずれがより強いキャリヤをより多く提供するかを決定することによって（または２つのアンテナのいずれが、より少ない低品質キャリヤを生成するかを決定することによって）、受信のため特定のアンテナを用いるための決定を行うことができる。上述した点は、不必要なアンテナ切替を削減することができ、さらに電力消費を削減する結果をもたらすことができる。
【０１０１】
広く記載されているように、本発明の精神または範囲を逸脱することなく、特定の実施形態において示されているように、本発明に対し種々の変形および／または改変を行うことができることは当業者には認識されよう。したがって、本実施形態は、あらゆる点において例示のためであり、限定するためではないと考えるべきである。
【産業上の利用可能性】
【０１０２】
本発明は、ダイバーシティ切替合成を用いて信号を受信する受信器モジュールおよび方法に利用できる。
【図面の簡単な説明】
【０１０３】
【図１】直交周波数分割多重（ＯＦＤＭ）信号を示す概略図である。
【図２】ＯＦＤＭダイバーシティ受信器を示す概略ブロック図である。
【図３】第１実施の形態において切替合成ユニットを示す概略ブロック図である。
【図４】第１実施の形態においてアンテナダイバーシティ信号受信を示すフローチャートである。
【図５】第２実施の形態において切替合成ユニットを示す概略ブロック図である。
【図６】第２実施の形態においてアンテナダイバーシティ信号受信を示すフローチャートである。
【図７】ダイバーシティ切替合成モジュールにおける信号を受信する方法を示すフローチャートである。
【図１】
2008148312.tif 000003
【図２】
2008148312.tif 000004
【図３】
2008148312.tif 000005
【図４】
2008148312.tif 000006
【図５】
2008148312.tif 000007
【図６】
2008148312.tif 000008
【図７】
2008148312.tif 000009
【外国語明細書】
2008148312.tif 000010
2008148312.tif 000011
2008148312.tif 000012
2008148312.tif 000013
2008148312.tif 000014
2008148312.tif 000015
2008148312.tif 000016
2008148312.tif 000017
2008148312.tif 000018
2008148312.tif 000019
2008148312.tif 000020
2008148312.tif 000021
2008148312.tif 000022
2008148312.tif 000023
2008148312.tif 000024
2008148312.tif 000025
2008148312.tif 000026
2008148312.tif 000027
2008148312.tif 000028
2008148312.tif 000029
2008148312.tif 000030
2008148312.tif 000031
2008148312.tif 000032
2008148312.tif 000033
2008148312.tif 000034
2008148312.tif 000035
2008148312.tif 000036
2008148312.tif 000037
2008148312.tif 000038
2008148312.tif 000039
2008148312.tif 000040
2008148312.tif 000041
2008148312.tif 000042
2008148312.tif 000043
2008148312.tif 000044